(57)【要約】【課題】迅速且つ容易に設置できる止水装置を提供する。【解決手段】止水装置１は、出入口Ｅの左右の出入口端部体１００に水密性を確保しながら着脱可能に取り付けられるものである。止水装置１は、止水板本体３の屋内向き面部３１の幅方向端部位３１ａに、止水板本体３の幅方向にスライド自在に設けたスライド支持体２を備えており、スライド支持体２を出入口端部体１００に向けて押圧しながら固定することで、止水板本体３を出入口端部体１００に着脱可能に取り付ける。【選択図】図１
2020007726.tif 000002
【特許請求の範囲】
【請求項１】
出入口の左右の出入口端部体に水密性を確保しながら着脱可能に取り付けられる止水装置であって、
止水板本体の屋内向き面部の幅方向端部位に、前記止水板本体の幅方向にスライド自在に設けたスライド支持体を備えており、
前記スライド支持体を前記出入口端部体に向けて押圧しながら固定することで、前記止水板本体を前記出入口端部体に着脱可能に取り付ける、止水装置。
【請求項２】
前記止水板本体が前記スライド支持体に対して相対的に下降されることで、前記スライド支持体を前記出入口端部体に向けてスライドさせるように構成されている、請求項１に記載の止水装置。
【請求項３】
前記止水板本体の前記屋内向き面部の前記幅方向端部位に突設された突起部材が、前記スライド支持体に設けられた案内溝に挿通されており、
前記案内溝は、前記出入口端部体から離れるほど下方に位置するように斜め下向きに延びる傾斜溝部を備えている、請求項２に記載の止水装置。
【請求項４】
前記突起部材は、前記案内溝に挿通される軸部と、前記軸部の先端部に設けられた頭部とを備え、
前記案内溝は、前記傾斜溝部の下端部から下向きに延びる上下溝部を備えており、
前記スライド支持体には、前記案内溝の前記上下溝部の側方に、前記突起部材の頭部を保持する頭部保持部が設けられている、請求項３に記載の止水装置。
【請求項５】
前記頭部保持部は、下方側ほど前記上下溝部から離れるように傾斜する頭部スライド面部と、前記頭部スライド面の下方に設けられて前記突起部材の頭部が嵌り込む頭部保持凹部とを備えている、請求項４に記載の止水装置。
【発明の詳細な説明】
【技術分野】
【０００１】
本願発明は、止水装置に関するものである。
【背景技術】
【０００２】
従来、集中豪雨や洪水などの自然災害の際に、地下鉄駅や地下駐車場、建物などの構造物にその出入口から水が侵入するのを防止するために、当該出入口に止水装置を設置することが行われる。
【０００３】
構造物の出入口に止水装置を設置する技術として、間隔を空けて設置された左右の支持体に、止水装置の左右端部位を着脱可能に設置して水を堰き止める止水装置が知られている（例えば特許文献１を参照）。特許文献１に開示された止水装置では、構造物の出入口の左右両側に支持体をそれぞれ設け、各支持体に設けられた対向溝に止水装置を上方から落し込むことで、止水装置が立設配置される。
【先行技術文献】
【特許文献】
【０００４】
【特許文献１】特開２００８−１６９５６１号公報
【発明の概要】
【発明が解決しようとする課題】
【０００５】
特許文献１に開示された止水装置では、止水装置を設置する際には、左右の支持体の対向溝に止水装置を落し込むために、止水装置を支持体の対向溝よりも高い位置まで持ち上げる必要がある。止水装置は、高い水圧に耐えられるように十分な強度が必要なので、重量が大きい。したがって、止水装置を支持体の対向溝よりも高い位置（例えば１メートル以上）まで人力で持ち上げるのは困難を伴い、例えば年配者や女性などの非力な作業者が止水装置を設置するのは困難であるという問題があった。
【０００６】
本願発明は、このような現状を改善すべく、止水装置を迅速且つ容易に設置できる止水装置を提供することを目的とするものである。
【課題を解決するための手段】
【０００７】
本願発明の止水装置は、出入口の左右の出入口端部体に水密性を確保しながら着脱可能に取り付けられる止水装置であって、止水板本体の屋内向き面部の幅方向端部位に、前記止水板本体の幅方向にスライド自在に設けたスライド支持体を備えており、前記スライド支持体を前記出入口端部体に向けて押圧しながら固定することで、前記止水板本体を前記出入口端部体に着脱可能に取り付けるものである。
【０００８】
本願発明の止水装置によれば、スライド支持体を幅方向にスライドさせることで、止水板本体を出入口端部体に取り付けることができるので、止水装置を従来技術のようには持ち上げなくても止水装置を出入口端部体に接続できる。したがって、止水装置を出入口に迅速且つ容易に設置できる。
【０００９】
本願発明の止水装置において、前記止水板本体が前記スライド支持体に対して相対的に下降されることで、前記スライド支持体を前記出入口端部体に向けてスライドさせるように構成されているようにしてもよい。
【００１０】
このような態様によれば、止水装置を少し持ち上げた状態で左右の出入口端部体の間に左右のスライド支持体を配置した後、スライド支持体の下部を床面に接触させる一方、止水板本体を下降させることで、スライド支持体を出入口端部体に向けてスライドさせて、止水板本体を出入口端部体に取り付けることができる。したがって、出入口への止水装置の取付作業がより迅速且つ容易になる。
【００１１】
さらに、前記止水板本体の前記屋内向き面部の前記幅方向端部位に突設された突起部材が、前記スライド支持体に設けられた案内溝に挿通されており、前記案内溝は、前記出入口端部体から離れるほど下方に位置するように斜め下向きに延びる傾斜溝部を備えているようにしてもよい。
【００１２】
このような態様によれば、突起部材が案内溝の傾斜溝部の上端側に位置する状態から、スライド支持体の下部を床面に接触させながら止水板本体を下降させると、突起部材は下向きに移動しながら傾斜溝部の内周壁を下向きに付勢し、スライド支持体は出入口端部体に向けてスライドする。このように、簡単な構成でスライド支持体を出入口端部体に向けて確実にスライドさせることができる。また、止水装置の取外し作業の際には、止水板本体を持ち上げることで、突起部材が上向きに移動するとともに傾斜溝部の内周壁を上向きに付勢し、スライド支持体が出入口端部体から離れる方向へスライドするので、止水装置を簡単な操作で出入口から迅速且つ容易に取り外すことができる。
【００１３】
さらに、前記突起部材は、前記案内溝に挿通される軸部と、前記軸部の先端部に設けられた頭部とを備え、前記案内溝は、前記傾斜溝部の下端部から下向きに延びる上下溝部を備えており、前記スライド支持体には、前記案内溝の前記上下溝部の側方に、前記突起部材の頭部を保持する頭部保持部が設けられているようにしてもよい。
【００１４】
このような態様によれば、スライド支持体を出入口端部体へ向けて押圧した状態で突起部材の軸部を案内溝の上下溝部に位置させることで、スライド支持体の左右方向移動を規制でき、スライド支持体を出入口端部体に強固に固定できる。さらに、突起部材の頭部を頭部保持部に保持させることで、止水板本体の浮き上がりを防止できる。
【００１５】
さらに、前記頭部保持部は、下方側ほど前記上下溝部から離れるように傾斜する頭部スライド面部と、前記頭部スライド面の下方に設けられて前記突起部材の頭部が嵌り込む頭部保持凹部とを備えているようにしてもよい。
【００１６】
このような態様によれば、止水板本体を下方へ向けて押し込む際に、突起部材の頭部は、頭部保持部の頭部スライド面部に当接し、頭部スライド面部に沿って、案内溝の上下溝部から離れるように斜め下向きに移動する。このとき、止水板本体の屋内向き面部は、スライド支持体及び出入口端部体に近づくように変位し、屋内向き面部の幅方向端部位に設けた側部止水部材が出入口端部体の屋外向き側面に密着当接するとともに押圧変形する。止水板本体がさらに下方へ向けて押し込まれて、突起部材の頭部が頭部保持部の頭部保持凹部に到達すると、弾性体からなる側部止水部材の復元力によって突起部材の頭部が頭部保持凹部に嵌り込む。このように、止水板本体を下方へ向けて押し込むという簡単な操作で、止水装置を出入口端部体に確実に接続できるとともに、止水板本体の上向き移動が規制されて、止水板本体の浮き上がりを防止できる。
【発明の効果】
【００１７】
本願発明は、出入口に迅速且つ容易に設置できる止水装置を提供できる。
【図面の簡単な説明】
【００１８】
【図１】止水装置の一実施形態の全体を示す概略図であり、（Ａ）は平面図、（Ｂ）は屋内側から見た背面図である。
【図２】同止水装置を出入口に設置した状態を示す概略図であり、（Ａ）は平面図、（Ｂ）は屋内側から見た背面図である。
【図３】（Ａ）は図１（Ａ）のＡ−Ａ位置に沿った断面図、（Ｂ）は図２（Ａ）のＢ−Ｂ位置に沿った断面図である。
【図４】スライド支持体周辺を拡大して示す図であり、（Ａ）は平面図、（Ｂ）は背面図である。
【図５】止水装置の取付動作を説明するための図であって一方のスライド支持体周辺を示す図であり、（Ａ）は平面図、（Ｂ）は背面図、（Ｃ）は断面図である。
【図６】図５の続きの動作を説明するための図であり、（Ａ）は平面図、（Ｂ）は背面図、（Ｃ）は断面図である。
【図７】図６の続きの動作を説明するための図であり、（Ａ）は平面図、（Ｂ）は背面図、（Ｃ）は断面図である。
【図８】図７の続きの動作を説明するための図であり、（Ａ）は平面図、（Ｂ）は背面図、（Ｃ）は断面図である。
【図９】同取付動作時における案内溝に対する係止突起部の動きを説明する斜視図であり、（Ａ）は初期状態、（Ｂ）は取付動作途中の状態、（Ｃ）は取付完了後の状態を示す。
【図１０】止水装置の他の実施形態を示す概略図であり、（Ａ）は平面図、（Ｂ）は背面図、（Ｃ）は断面図である。
【発明を実施するための形態】
【００１９】
以下に、本願発明を具体化した実施形態を図面に基づいて説明する。また、各方向を特定するため、前後・左右の文言を使用するが、建物等の出入口Ｅの両側を構成する一対の出入口端部体が間隔を空けて設けられる方向（出入口の幅方向）を左右方向とし、これと直交した方向を前後方向と定義している。
【００２０】
図１〜図３に示すように、本実施形態の止水装置１は、例えば地下鉄駅や地下駐車場、建物などの構造物への水の侵入を防止するために、構造物等の出入口Ｅに設置されるものであり、出入口Ｅの左右の出入口端部体１００に取り付けられる。左右の出入口端部体１００は、上下方向に延びて設けられており、屋外側に位置するいわゆる見付面からなる屋外向き側面部１０１と、いわゆる見込面からなる左右対向側面部１０２を備えている。屋外向き側面部１０１と左右対向側面部１０２は互いに直交している。左右の出入口端部体１００は、例えば出入口Ｅの開口部の縦枠や門柱などで構成される。
【００２１】
止水装置１は、左右の出入口端部体１００同士の間を塞ぐように床面Ｆに起立設置される止水板本体３と、止水板本体３の屋内向き面部３１の幅方向端部位３１ａに設けた左右のスライド支持体２を備えている。スライド支持体２は、止水板本体３の幅方向にスライド自在に設けられており、スライド支持体２を出入口端部体１００に向けて押圧しながら固定することで、止水板本体３が出入口端部体１００に着脱可能に取り付けられるように構成されている。
【００２２】
止水板本体３は、屋内向き面部３１の左右の幅方向端部位３１ａが、左右の出入口端部体１００の屋外向き側面部１０１に対向して配置される。スライド支持体２は、止水板本体３の幅方向端部位３１ａに設けられた突起部材３２を介して、止水板本体３の屋内向き面部３１の幅方向端部位３１ａに移動自在に連結されている。左右のスライド支持体２は、対応する出入口端部体１００の左右対向側面部１０２に近接して、左右の出入口端部体１００の間に配置される。
【００２３】
止水板本体３は、矩形板状の形態を有し、屋内向き面部３１における左右の幅方向端部位３１ａ，３１ａのそれぞれに、突起部材３２と側部止水部材３３とを備えている。突起部材３２は、屋内向き面部３１から屋内向きに延びる軸部３２ｂの先端に幅広の頭部３２ａを有している。側部止水部材３３は、上下方向に延びる弾性体で形成されている。止水板本体３の底面部３４には、左右方向に延びる弾性体からなる下部止水部材３６が設けられている。
【００２４】
図１〜図４に示すように、左右のスライド支持体２は、止水板本体３の幅方向端部位３１ａに対向配置される連結面部２１と、連結面部２１の左右方向外側端部から幅方向端部位３１ａとは離れる方向（図１〜図３の屋内方向、前後方向）へ向けて延びる押圧面部２３を備えている。連結面部２１には、止水板本体３の突起部材３２を案内するための案内溝２２が形成されている。案内溝２２には、止水板本体３に設けられた突起部材３２の軸部３２ｂが挿通されている。
【００２５】
止水装置１が左右の出入口端部体１００に取り付けられる際には、左右の出入口端部体１００の左右対向側面部１０２同士の間に左右のスライド支持体２を配置するとともに、止水板本体３の幅方向端部位３１ａを出入口端部体１００の屋外向き側面部１０１に対向配置する。そして、左右のスライド支持体２同士の間隔が広がるように左右のスライド支持体２を左右方向外向きへ移動させて、押圧面部２３を出入口端部体１００の左右対向側面部１０２に向けて押圧して、スライド支持体２を出入口端部体１００に固定する。一方、止水板本体３に設けた側部止水部材３３を出入口端部体１００の屋外向き側面部１０１に密着させるとともに、下部止水部材３６を床面Ｆに密着させる。これにより、止水板本体３と出入口端部体１００及び床面Ｆとの間の水密性が確保される。
【００２６】
このように、止水装置１を高く持ち上げることなく左右の出入口端部体１００に接続できるので、止水装置１を出入口Ｅに迅速且つ容易に設置できる。また、止水装置１を高く持ち上げる必要がないので、年配者や女性などの非力な作業者であっても、止水装置１を出入口Ｅに迅速且つ容易に設置できる。
【００２７】
図１〜図４を参照しながら、止水装置１の詳細な構成について説明する。止水装置１の止水板本体３は、例えば炭素繊維強化プラスチック製又は金属製であり、矩形板状の形態を有し、屋内向き面部３１と、底面部３４と、屋外向き面部３５と、上面部３７と、左右の側面部３８とを備えている。なお、止水板本体３は、中空部分を有する構造であってもよい。止水板本体３の上面部３７には、左右一対の逆Ｕ字形の取っ手部３９が設けられている。
【００２８】
止水板本体３の屋内向き面部３１の幅方向端部位３１ａ，３１ａに、突起部材３２と側部止水部材３３とが設けられている。本実施形態では、幅方向端部位３１ａに、上下方向に間隔を空けて並ぶ３つの突起部材３２が設けられおり、屋内向き面部３１には合計６つの突起部材３２が設けられている。各突起部材３２は、屋内向き面部３１の幅方向端部位３１ａに突設された軸部３２ｂと、軸部３２ｂの先端部に設けられた頭部３２ａとを備えている。本実施形態では、頭部３２ａは球形であり、軸部３２ｂは円柱形（丸棒形）である。
【００２９】
側部止水部材３３は、ゴムやスポンジ等の弾性体からなり、突起部材３２よりも左右方向外側位置に設けられている。側部止水部材３３は、屋内向き面部３１の幅方向端部位３１ａの上端部位から下端部位に亘って設けられている。側部止水部材３３の下側の端部は、幅方向端部位３１ａの下端部位から屋外向き面部３５に向けて屈曲しており、底面部３４に亘って設けられている。側部止水部材３３は、高反発ゴムからなる側部第１止水部材３３ａと、側部第１止水部材３３ａの左右方向外側位置に隣接配置される低反発ゴムからなる側部第２止水部材３３ｂで構成されている。側部第２止水部材３３ｂの厚み（屋内向き面部３１からの突出高さ）は側部第１止水部材３３ａの厚みよりも大きく設定されている。
【００３０】
止水板本体３の底面部３４には、左右方向に延びる弾性体からなる下部止水部材３６が設けられている。ゴムやスポンジ等の弾性体からなる下部止水部材３６の左右方向両端部は、底面部３４に延設された側部止水部材３３に隙間なく接続されている。下部止水部材３６は、高反発ゴムからなる下部第１止水部材３６ａと、下部第１止水部材３６ａの屋外側位置に隣接配置される低反発ゴムからなる下部第２止水部材３６ｂで構成されている。下部第２止水部材３６ｂの厚み（底面部３４からの突出高さ）は下部第１止水部材３６ａの厚みよりも大きく設定されている。
【００３１】
なお、側部止水部材３３及び下部止水部材３６は、出入口端部体１００の屋外向き側面部１０１又は床面Ｆへ向けて押圧されて、屋外向き側面部１０１又は床面Ｆに密着して水密性を確保できる弾性体であればよい。
【００３２】
次に、スライド支持体２の構成について説明する。左右のスライド支持体２は、左右対称に設けられている。上述のように、左右のスライド支持体２は、止水板本体３の幅方向端部位３１ａに対向配置される連結面部２１と、連結面部２１の左右方向外側端部から幅方向端部位３１ａとは離れる方向へ向けて延びる押圧面部２３を備えている。本実施形態では、スライド支持体２は、横断面がＬ型の山形鋼（いわゆるアングル）で形成されており、上下方向に延びて配置されている。連結面部２１と押圧面部２３は互いに直交している。
【００３３】
連結面部２１には、上下方向に間隔を空けて並ぶ３つの案内溝２２が形成されている。案内溝２２は、止水板本体３の突起部材３２を案内するための溝であり、３つの突起部材３２に対応する位置に設けられている。３つの案内溝２２は、同一形状を有し、それぞれ連結面部２１を貫通している。
【００３４】
案内溝２２の溝幅寸法は、突起部材３２の軸部３２ｂの径よりも大きく、かつ突起部材３２の頭部３２ａの径よりも小さく設定されている。案内溝２２は、出入口端部体１００から離れるほど下方に位置するように斜め下向きに延びる傾斜溝部２２ａと、傾斜溝部２２ａの下端部から下向きに延びる上下溝部２２ｂを備えている。
【００３５】
各案内溝２２には、対応する突起部材３２の軸部３２ｂが挿通されており、スライド支持体２の連結面部２１が突起部材３２の頭部３２ａと止水板本体３の屋内向き面部３１との間に配置されることで、スライド支持体２と止水板本体３とが抜け不能に連結されている。
【００３６】
スライド支持体２と止水板本体３は、案内溝２２内を突起部材３２の軸部３２ｂが移動することで、相対移動自在に設けられている。突起部材３２の軸部３２ｂが案内溝２２の上端部（傾斜溝部２２ａの上端部）に位置する状態で、スライド支持体２の下部が止水板本体３の下部よりも下方に位置するように構成されている。また、突起部材３２の軸部３２ｂが案内溝２２の下端部（上下溝部２２ｂの下端部）に位置する状態、厳密には突起部材３２の頭部３２ａが後述する頭部保持部３０の頭部保持凹部３０ｂに嵌り込んだ状態で、スライド支持体２の下部と止水板本体３の下部（下部止水部材３６）が概ね同じ高さ位置になるように構成されている。
【００３７】
スライド支持体２の連結面部２１に、突起部材３２の頭部３２ａを保持する頭部保持部３０が設けられている。頭部保持部３０は、連結面部２１の止水板本体３に対向する面とは反対側の面に設けられており、３つの案内溝２２のうち一番上の案内溝２２と一番下の案内溝２２の上下溝部２２ｂの左右側方に設けられている。本実施形態では、１つの案内溝２２に対して左右一対の頭部保持部３０が設けられている。
【００３８】
頭部保持部３０は、略楔形の形態を有し、下方側ほど連結面部２１の上下溝部２２ｂから離れるように傾斜する頭部スライド面部３０ａと、頭部スライド面部３０ａの下方に設けられて突起部材３２の頭部３２ａが嵌り込む頭部保持凹部３０ｂとを備えている。左右一対の頭部保持部３０において、各頭部保持凹部３０ｂは、頭部保持部３０のうち頭部スライド面部３０ａの下方で互いに対向する角部に設けられている。頭部保持凹部３０ｂは、当該角部を切り欠いて形成されており、例えば凹球面を略半割した形状としてもよい。左右の頭部保持凹部３０ｂは左右対称に形成されている。なお、頭部保持凹部３０ｂの形状は、凹球面に限定されず、例えば横長凹溝形状など、突起部材３２の頭部３２ａが嵌り込む形状であればよい。
【００３９】
また、スライド支持体２の押圧面部２３には、出入口端部体１００の左右対向側面部１０２に対向する面に、ゴムやスポンジ等の弾性体からなる押圧弾性部材２４が設けられている。本実施形態では、押圧弾性部材２４は、粘着性の高い板状ゴムで形成され、押圧面部２３の上下長手方向に沿って上下縦長に設けられている。
【００４０】
スライド支持体２の下部には、連結面部２１の下端部から止水板本体３の幅方向端部位３１ａとは離れる方向へ向けて延びる四角板状の底面部２５の下面に、車輪２６が設けられている。車輪２６は、左右方向（出入口Ｅの幅方向と平行な方向）に転動可能に設けられている。なお、本実施形態では、スライド支持体２の左右方向移動をより円滑にするためにスライド支持体２の下部に左右一対の車輪２６を設けているが、車輪２６に替えて、床面Ｆ表面を横滑り可能な硬質樹脂部材や金属部材をスライド支持体２の下部に設けることも可能である。
【００４１】
また、スライド支持体２には、連結面部２１と押圧面部２３とを連結する三角形状の補強リブ２７が設けられている。補強リブ２７は、上下方向で隣り合う案内溝２２同士の間の位置に設けられており、上下２つの補強リブ２７が設けられている。
【００４２】
止水板本体３の屋内向き面部３１の幅方向端部位３１ａと、スライド支持体２の連結面部２１との間には、スライド支持体２を幅方向端部位３１ａとは離れる方向へ向けて付勢する弾性体からなる弾性部材４０が設けられている。本実施形態では、弾性部材４０は、圧縮コイルばねであり、上下に並ぶ３つの突起部材３２のうち真ん中の突起部材３２の軸部３２ｂが挿通されている。
【００４３】
弾性部材４０は、前後方向（軸部３２ｂが延びる方向）で圧縮変形（弾性変形）した状態で配置される。スライド支持体２は、弾性部材４０の復元力によって幅方向端部位３１ａとは離れる方向へ向けて付勢される一方、突起部材３２の頭部３２ａが案内溝２２の傾斜溝部２２ａの周囲部又は頭部保持部３０に当接することで、幅方向端部位３１ａとは離れる方向への移動が制限される。
【００４４】
また、止水板本体３の屋内向き面部３１の幅方向端部位３１ａと、スライド支持体２の連結面部２１との間には、スライド支持体２の幅方向端部位３１ａ側への移動を制限するスペーサ部材４１が設けられている。本実施形態では、スペーサ部材４１は、円筒状の形態を有し、金属、樹脂又はゴム等の弾性体からなり、幅方向端部位３１ａに固定されている。上下に並ぶ３つの突起部材３２のうち上下２つの突起部材３２の軸部３２ｂはスペーサ部材４１に挿通されている。スペーサ部材４１は、スライド支持体２と止水板本体３との間の隙間を確保するためのものである。
【００４５】
次に、図４〜図９を参照しながら、出入口Ｅへの止水装置１の取付け操作について説明する。なお、図１１〜図１５では、左右のスライド支持体２のうち屋内側から見て右側のスライド支持体２のみを図示しているが、上述のようにスライド支持体２は左右対称に設けられるので、左側のスライド支持体２についても同様の動作が行われる。
【００４６】
図４及び図９（Ａ）に示すように、初期状態では、止水板本体３に設けられた突起部材３２の軸部３２ｂは、スライド支持体２の連結面部２１に設けられた案内溝２２の傾斜溝部２２ａの上端部に位置している。取っ手部３９を把持して止水装置１を持ち上げた状態で、幅方向端部位３１ａが出入口Ｅの出入口端部体１００の屋外向き側面部１０１に対向するように屋内向き面部３１を出入口Ｅの屋内側へ向けて止水板本体３を配置する。
【００４７】
左右のスライド支持体２を左右の出入口端部体１００の間の位置に配置する。スライド支持体２の押圧面部２３（押圧弾性部材２４）が出入口端部体１００の左右対向側面部１０２に対向するように配置される。止水装置１を持ち上げる力を緩めて止水装置１を下降させて、スライド支持体２の下部の車輪２６を床面Ｆに接触させる。止水装置１を下降させる際に、止水板本体３の側部止水部材３３を出入口端部体１００の屋外向き側面部１０１に接触させることが好ましいが、側部止水部材３３が屋外向き側面部１０１に近接配置される状態で止水装置１を下降させてもよい。
【００４８】
図５に示すように、止水板本体３の自重で、又は作業者が止水板本体３を下方へ押し込むことで、止水板本体３を下方へ移動させる。突起部材３２の軸部３２ｂが案内溝２２の傾斜溝部２２ａの上端側に位置する状態（初期状態）から、スライド支持体２の下部の車輪２６を床面Ｆに接触させながら止水板本体３を下降させると、突起部材３２の軸部３２ｂは、下向きに移動しながら案内溝２２の傾斜溝部２２ａの下側の傾斜面（下側の内壁）を下向きに付勢する。これにより、傾斜溝部２２ａの下側の傾斜面に出入口端部体１００側へ向かう力が掛かり、スライド支持体２は、車輪２６を転動させながら出入口端部体１００に向けてスライドする。このように、簡単な構成でスライド支持体２を出入口端部体１００に向けて確実にスライドさせることができる。
【００４９】
なお、弾性部材４０は、真ん中の突起部材３２の軸部３２ｂに挿通されているので、止水板本体３とともに下方へ移動する。突起部材３２の軸部３２ｂが案内溝２２の傾斜溝部２２ａ内を移動するときは、弾性部材４０の復元力によって、突起部材３２の頭部３２ａが連結面部２１における傾斜溝部２２ａの周囲部位に当接する状態が維持されるので、スライド支持体２と止水板本体３との間隔は概ね一定である。
【００５０】
止水板本体３が下降するとともに、突起部材３２の軸部３２ｂが下降し、スライド支持体２が出入口端部体１００に近づくようにスライドする。そして、突起部材３２の軸部３２ｂが案内溝２２の傾斜溝部２２ａの中途部に到達したときに、スライド支持体２の押圧面部２３に設けた押圧弾性部材２４が出入口端部体１００の左右対向側面部１０２に接触する。
【００５１】
図６及び図９（Ｂ）に示すように、止水板本体３がさらに下降されて、突起部材３２の軸部３２ｂが案内溝２２の傾斜溝部２２ａの下端部（傾斜溝部２２ａと上下溝部２２ｂとの接続部）近傍まで移動する。このとき、突起部材３２の軸部３２ｂは案内溝２２の傾斜溝部２２ａを付勢しながら下降し、スライド支持体２が出入口端部体１００側へさらにスライドする。押圧弾性部材２４が押圧面部２３と左右対向側面部１０２との間で圧縮変形するとともに左右対向側面部１０２に密着する。
【００５２】
図７に示すように、作業者が止水板本体３をさらに下方へ押し込むと、突起部材３２の軸部３２ｂは案内溝２２の上下溝部２２ｂ内に移動する。これにより、スライド支持体２の左右方向への移動が規制され、スライド支持体２を出入口端部体１００に向けて押圧しながら位置固定できる。
【００５３】
一方、突起部材３２の頭部３２ａは、頭部保持部３０の頭部スライド面部３０ａに当接し、頭部スライド面部３０ａに沿って、スライド支持体２の連結面部２１（上下溝部２２ｂ）から離れるように斜め下向きに移動する。このとき、止水板本体３の屋内向き面部３１は、スライド支持体２及び出入口端部体１００に近づくように変位し、側部止水部材３３が屋外向き側面部１０１に密着当接するとともに圧縮変形する。これにより、止水板本体３と出入口端部体１００との間に高い水密性を確保できる。
【００５４】
図８及び図９（Ｃ）に示すように、止水板本体３をさらに下方へ押し込むと、突起部材３２の頭部３２ａが頭部保持部３０の頭部保持凹部３０ｂに到達して、頭部３２ａの軸部３２ｂ寄り部位が頭部保持凹部３０ｂに嵌り込む。頭部３２ａは、弾性体からなる側部止水部材３３の復元力によって頭部保持凹部３０ｂに付勢されて、頭部保持凹部３０ｂ内に保持される。これにより、止水板本体３の上向き移動が規制されて、止水板本体３の浮き上がりを防止できる。なお、頭部３２ａが頭部保持凹部３０ｂに嵌り込んだ状態で、スライド支持体２と止水板本体３との間に設けられた弾性部材４０は圧縮変形しているので、頭部３２ａは、弾性部材４０の復元力によっても、頭部保持凹部３０ｂに付勢される。
【００５５】
また、突起部材３２の頭部３２ａが頭部保持凹部３０ｂに嵌り込んだ状態で、止水板本体３の下側の下部止水部材３６が床面Ｆに密着当接するとともに圧縮変形する。これにより、止水板本体３と床面Ｆとの間に高い水密性を確保できる。
【００５６】
このように、止水板本体３を下方へスライドさせるという簡単な操作で、止水板本体３をスライド支持体２に確実に接続できる。
【００５７】
また、止水部材３３，３６は、出入口端部体１００の屋外向き側面部１０１又は床面Ｆに密着当接する際に、まず、低反発弾性体からなる第２止水部材３３ｂ，３６ｂが屋外向き側面部１０１又は床面Ｆに当接する。その後、第２止水部材３３ｂ，３６ｂが圧縮変形しながら高反発弾性体からなる第１止水部材３３ａ，３６ａが屋外向き側面部１０１又は床面Ｆに当接して圧縮変形する。これにより、止水部材３３，３６は、低反発弾性体からなる第２止水部材３３ｂ，３６ｂによって屋外向き側面部１０１又は床面Ｆとの間に高い水密性を確保しながら、水圧による第２止水部材３３ｂ，３６ｂの左右内向き又は屋内向きへの移動を高反発弾性体からなる第１止水部材３３ａ，３６ａによって規制できる。
【００５８】
また、止水装置１の取外し作業の際には、止水板本体３を持ち上げることで、突起部材３２の頭部３２ａを頭部保持部３０の頭部保持凹部３０ｂから離脱させる。止水板本体３をさらに持ち上げることで、突起部材３２の軸部３２ｂが上向きに移動するとともに案内溝２２の上下溝部２２ｂから傾斜溝部２２ａへ移動する。軸部３２ｂは上向きに移動しながら傾斜溝部２２ａの上側の傾斜面（上側の内壁）を上向きに付勢する。これにより、傾斜溝部２２ａの上側の傾斜面に出入口端部体１００側へ向かう方向とは逆向きに力が掛かり、スライド支持体２は、車輪２６を転動させながら出入口端部体１００とは離れる方向へ向けてスライドし、スライド支持体２と出入口端部体１００との連結が解除される。このように、止水装置１を簡単な操作で出入口Ｅから迅速且つ容易に取り外すことができる。
【００５９】
次に、図１０を参照しながら、止水装置の他の実施形態について説明する。本実施形態の止水装置１Ａにおいて、上記実施形態の止水装置１と同一部分には同じ符号を付し、それらの部分の詳細な説明は省略する。
【００６０】
本実施形態の止水装置１Ａでは、上記実施形態の止水装置１と比較して、止水装置１において上下に並ぶ３つの突起部材３２及び案内溝２２のうち真ん中の突起部材３２及び案内溝２２が設けられていない。すなわち、止水板本体３の屋内向き面部３１の幅方向端部位３１ａに上下２つの突起部材３２が設けられ、スライド支持体２の連結面部２１に上下２つの案内溝２２が設けられている。
【００６１】
また、上下の突起部材３２の軸部３２ｂには、スペーサ部材４１（図４等参照）に替えて、圧縮コイルばねからなる弾性部材４０が挿通されている。弾性部材４０は、スライド支持体２を幅方向端部位３１ａとは離れる方向へ向けて付勢する。
【００６２】
本実施形態では、上下２つの弾性部材４０によってスライド支持体２を幅方向端部位３１ａとは離れる方向へ向けて付勢するので、止水装置１を出入口Ｅに設置する際に、スライド支持体２と止水板本体３とが互いに平行に保たれやすくなり、止水装置１の設置作業の容易性を向上できる。
【００６３】
なお、弾性部材４０は、圧縮コイルばねに限定されず、例えば板ばねやゴムなど、スライド支持体２を幅方向端部位３１ａとは離れる方向へ向けて付勢できる弾性体であればよい。また、弾性部材４０は、突起部材３２の周囲に配置される構成に限定されず、スライド支持体２を幅方向端部位３１ａとは離れる方向へ向けて付勢できる構成であればよい。また、対となる突起部材３２及び案内溝２２を２又は３つで構成するものとしたが、その数について限定するものではない。
【００６４】
以上のように、止水装置１，１Ａは、出入口Ｅの左右の出入口端部体１００に水密性を確保しながら着脱可能に取り付けられるものであって、止水板本体３の屋内向き面部３１の幅方向端部位３１ａに、止水板本体３の幅方向にスライド自在に設けたスライド支持体２を備えており、スライド支持体２を出入口端部体１００に向けて押圧しながら固定することで、止水板本体３を出入口端部体１００に着脱可能に取り付ける。これにより、止水装置１，１Ａを従来技術のようには持ち上げなくても出入口端部体１００に接続できるので、止水装置１，１Ａを出入口Ｅに迅速且つ容易に設置できる。
【００６５】
また、止水装置１，１Ａは、止水板本体３がスライド支持体２に対して相対的に下降されることで、スライド支持体２を出入口端部体１００に向けてスライドさせるように構成されている。これにより、止水装置１，１Ａを少し持ち上げた状態で左右の出入口端部体１００の間に左右のスライド支持体２を配置した後、スライド支持体２の下部を床面Ｆに接触させる一方、止水板本体３を下降させることで、スライド支持体２を出入口端部体１００に向けてスライドさせて出入口端部体１００に取り付けることができる。したがって、出入口への止水装置の取付作業がより迅速且つ容易になる。
【００６６】
また、止水装置１，１Ａは、止水板本体３の屋内向き面部３１の幅方向端部位３１ａに突設された突起部材３２が、スライド支持体２に設けられた案内溝２２に挿通されており、案内溝２２は、出入口端部体１００から離れるほど下方に位置するように斜め下向きに延びる傾斜溝部２２ａを備えている。これにより、突起部材３２が案内溝２２の傾斜溝部２２ａの上端側に位置する状態から、スライド支持体２の下部を床面Ｆに接触させながら止水板本体３を下降させると、突起部材３２は下向きに移動しながら傾斜溝部２２ａの内周壁を下向きに付勢し、スライド支持体２は出入口端部体１００に向けてスライドする。このように、簡単な構成でスライド支持体２を出入口端部体１００に向けて確実にスライドさせることができる。また、止水装置１，１Ａの取外し作業の際には、止水板本体３を持ち上げることで、突起部材３２が上向きに移動して傾斜溝部２２ａの内周壁を上向きに付勢し、するとともにスライド支持体２が出入口端部体１００から離れる方向へスライドするので、止水装置１，１Ａを簡単な操作で出入口Ｅから迅速且つ容易に取り外すことができる。
【００６７】
また、突起部材３２は、案内溝２２に挿通される軸部３２ｂと、軸部３２ｂの先端部に設けられた頭部３２ａとを備え、案内溝２２は、傾斜溝部２２ａの下端部から下向きに延びる上下溝部２２ｂを備えており、スライド支持体２には、案内溝２２の上下溝部２２ｂの側方に、突起部材３２の頭部３２ａを保持する頭部保持部３０が設けられている。これにより、スライド支持体２を出入口端部体１００へ向けて押圧した状態で突起部材３２の軸部３２ｂを案内溝２２の上下溝部２２ｂに位置させることで、スライド支持体２の左右方向移動を規制でき、スライド支持体２を出入口端部体１００に強固に固定できる。さらに、突起部材３２の頭部３２ａを頭部保持部３０に保持させることで、止水板本体３の浮き上がりを防止できる。
【００６８】
また、頭部保持部３０は、下方側ほど上下溝部２２ｂから離れるように傾斜する頭部スライド面部３０ａと、頭部スライド面部３０ａの下方に設けられて突起部材３２の頭部３２ａが嵌り込む頭部保持凹部３０ｂとを備えている。これにより、止水板本体３を下方へ向けて押し込む際に、突起部材３２の頭部３２ａは、頭部保持部３０の頭部スライド面部３０ａに当接し、頭部スライド面部３０ａに沿って、案内溝２２の上下溝部２２ｂから離れるように斜め下向きに移動する。このとき、止水板本体３の屋内向き面部３１は、スライド支持体２及び出入口端部体１００に近づくように変位し、屋内向き面部３１の幅方向端部位３１ａに設けた側部止水部材３３が出入口端部体１００の屋外向き側面部１０１に密着当接するとともに押圧変形する。止水板本体３がさらに下方へ向けて押し込まれて、突起部材３２の頭部３２ａが頭部保持部３０の頭部保持凹部３０ｂに到達すると、弾性体からなる側部止水部材３３の復元力によって突起部材３２の頭部３２ａが頭部保持凹部３０ｂに嵌り込む。このように、止水板本体３を下方へ向けて押し込むという簡単な操作で、止水装置１を出入口端部体１００に確実に接続できるとともに、止水板本体３の上向き移動が規制されて、止水板本体３の浮き上がりを防止できる。
【００６９】
本願発明は、前述の実施形態に限らず、様々な態様に具体化できる。
【符号の説明】
【００７０】
１  止水装置
２  スライド支持体
３  止水板本体
２２  案内溝
２２ａ  傾斜溝部
２２ｂ  上下溝部
３０  頭部保持部
３０ａ  頭部スライド面部
３０ｂ  頭部保持凹部
３１  屋内向き面部
３１ａ  幅方向端部位
３２  突起部材
３２ａ  頭部
３２ｂ  軸部
３３  側部止水部材
３６  下部止水部材
１００  出入口端部体
１０１  屋外向き側面部
１０２  左右対向側面部
Ｅ  出入口
Ｆ  床面
【図１】
2020007726.tif 000003
【図２】
2020007726.tif 000004
【図３】
2020007726.tif 000005
【図４】
2020007726.tif 000006
【図５】
2020007726.tif 000007
【図６】
2020007726.tif 000008
【図７】
2020007726.tif 000009
【図８】
2020007726.tif 000010
【図９】
2020007726.tif 000011
【図１０】
2020007726.tif 000012